(57)【要約】【課題】タイムラプス動画がピンボケ状態となることのないようにする。【解決手段】操作部１２０によって通常の動画を記録可能な第１の動画撮影モードと、所定の間隔を置いた複数回の撮影であるインターバル撮影で撮影された複数の画像を繋ぎ合わせたタイムラスプ動画を記録可能な第２の動画撮影モードとのいずれかが設定される。ＲＥＣボタンが押されると、システム制御部１０１はＡＦを開始し、第１の動画撮影モードが設定されていると、合焦したか否かに拘わらず通常の動画の記録を開始する。第２の動画撮影モードが設定されていると、システム制御部は合焦した場合にタイムラスプ動画の記録を開始し、合焦しない場合はタイムラスプの記録を開始しない。【選択図】図１
2018023058.tif 000002
【特許請求の範囲】
【請求項１】
第１の種別の動画を記録可能な第１の動画撮影モードと、所定の間隔を置いた複数回の撮影であるインターバル撮影で撮影された複数の画像を繋ぎ合わせた第２の種別の動画を記録可能な第２の動画撮影モードと、を含む複数の動画撮影モードのいずれかを設定する設定手段と、
動画の記録の開始指示を受け付ける受付手段と、
前記受付手段によって前記開始指示を受け付けたことに応じて、オートフォーカスを行うように制御するフォーカス制御手段と、
前記第１の動画撮影モードに設定されている場合は、前記受付手段で開始指示を受け付けたことに応じて、前記オートフォーカスの結果、合焦したか否かに拘わらず前記第１の種別の動画の記録を開始するように制御し、前記第２の動画撮影モードに設定されている場合は、前記オートフォーカスの結果、合焦した場合に前記第２の種別の動画の記録を開始し、前記受付手段で開始指示を受け付けても、前記オートフォーカスの結果、合焦しない場合は前記第２の種別の動画の記録を開始しないように制御する制御手段と、
を有することを特徴とする撮像装置。
【請求項２】
前記設定手段によって前記第２の動画撮影モードに設定されている場合、
１回の開始指示に応じて行われる前記インターバル撮影における２回目以降の撮影の際には、前記制御手段は、前記フォーカス制御手段によるオートフォーカスを行わず、１回目の撮影の際のフォーカス位置に固定した状態で撮影を行うことを特徴とする請求項１に記載の撮像装置。
【請求項３】
前記制御手段は、前記第１の種別の動画を記録する際には、前記フォーカス制御手段によるオートフォーカスを継続的に行うように制御することを特徴とする請求項１又は２に記載の撮像装置。
【請求項４】
前記第２の種別の動画は、再生に要する時間が撮影に要した時間よりも短いタイムラプス動画であることを特徴とする請求項１乃至３のいずれか１項に記載の撮像装置。
【請求項５】
前記第１の種別の動画は、再生に要する時間が撮影に要した時間とほぼ一致する動画であることを特徴とする請求項１乃至４のいずれか１項に記載の撮像装置。
【請求項６】
前記制御手段は、前記受付手段とは異なるシャッター操作部材の操作に応じて、静止画の撮影を行うことを特徴とする請求項１乃至５のいずれか１項に記載の撮像装置。
【請求項７】
前記受付手段によって開始指示を受け付けた場合に、前記フォーカス制御手段によるオートフォーカスを行っても合焦しない場合、当該合焦しない旨の通知を行う通知手段をさらに有することを特徴とする請求項１乃至６のいずれか１項に記載の撮像装置。
【請求項８】
オートフォーカスモードとマニュアルフォーカスモードとを含む複数のフォーカスモードのいずれかを設定するフォーカスモード設定手段をさらに有し、
前記制御手段は、マニュアルフォーカスモードに設定されていた場合には、前記受付手段によって開始指示を受け付けたことに応じてオートフォーカスを行うことなく、前記インターバル撮影を開始するように制御することを特徴とする請求項１乃至７のいずれか１項に記載の撮像装置。
【請求項９】
第１の種別の動画を記録可能な第１の動画撮影モードと、所定の間隔を置いた複数回の撮影であるインターバル撮影で撮影された複数の画像を繋ぎ合わせた第２の種別の動画を記録可能な第２の動画撮影モードとを含む複数の動画撮影モードを有する撮像装置の制御方法であって、
前記複数の動画撮影モードのいずれかを設定する設定ステップと、
動画の記録の開始指示を受け付ける受付ステップと、
前記受付ステップで前記開始指示を受け付けたことに応じて、オートフォーカスを行うように制御するフォーカス制御ステップと、
前記第１の動画撮影モードに設定されている場合は、前記受付ステップで開始指示を受け付けたことに応じて、前記オートフォーカスの結果、合焦したか否かに拘わらず前記第１の種別の動画の記録を開始するように制御し、前記第２の動画撮影モードに設定されている場合は、前記オートフォーカスの結果、合焦した場合に前記第２の種別の動画の記録を開始し、前記受付ステップで開始指示を受け付けても、前記オートフォーカスの結果、合焦しない場合は前記第２の種別の動画の記録を開始しないように制御する制御ステップと、
を有することを特徴とする制御方法。
【請求項１０】
コンピュータを、請求項１乃至８のいずれか１項に記載された撮像装置の各手段として機能させるためのプログラム。
【請求項１１】
コンピュータを、請求項１乃至８のいずれか１項に記載された撮像装置の各手段として機能させるためのプログラムを格納したコンピュータが読み取り可能な記憶媒体。
【発明の詳細な説明】
【技術分野】
【０００１】
本発明は、撮像装置、その制御方法、およびプログラム、並びに記憶媒体に関し、特に、所定の間隔をおいて複数回の撮影を行うインターバル撮影で得られた複数の画像を繋ぎ合わせた動画データを得ることのできる撮像装置に関する。
【背景技術】
【０００２】
一般に、所定の時間間隔で被写体を撮影するインターバル撮影又はタイムラプス撮影（Ｔｉｍｅ  Ｌａｐｓｅ）で得られた複数の静止画を繋ぎ合わせて動画とする所謂タイムラプス動画が知られている。インターバル撮影が可能な撮像装置において、記録動作時間に応じてユーザーが選択可能な時間間隔を判定する撮像装置がある（特許文献１参照）。
【先行技術文献】
【特許文献】
【０００３】
【特許文献１】特開２００７−４３４６３号公報
【発明の概要】
【発明が解決しようとする課題】
【０００４】
ところで、タイムラプス動画を生成する際、インターバル撮影によって得られた複数のフレーム画像においてそのピント位置が異なっていると、タイムラプス動画にちらつきが生じることがある。つまり、インターバル撮影においては、所定の時間間隔で撮影が行われるため、実際には連続的にピントが変化している場合であって、タイムラプス動画においては急激にピントの変化が生じる。このため、タイムラプス動画においては、ピントの変化に起因してちらつきが生じることがある。
【０００５】
このため、タイムラプス動画を生成するためインターバル撮影を行う際には、オートフォーカス（ＡＦ）モードに拘わらずピント位置を固定して撮影することが望ましい。
【０００６】
ところが、ピント位置を固定すると、インターバル撮影を開始した時点においてピントが合っていないと、その後に撮影されるフレーム画像が全てピンボケとなってしまい、タイムラプス動画がピンボケ状態となる。
【０００７】
そこで、本発明の目的は、タイムラプス動画がピンボケ状態となることのない撮像装置、その制御方法、およびプログラム、並びに記憶媒体を提供することにある。
【課題を解決するための手段】
【０００８】
上記の目的を達成するため、本発明による撮像装置は、第１の種別の動画を記録可能な第１の動画撮影モードと、所定の間隔を置いた複数回の撮影であるインターバル撮影で撮影された複数の画像を繋ぎ合わせた第２の種別の動画を記録可能な第２の動画撮影モードと、を含む複数の動画撮影モードのいずれかを設定する設定手段と、動画の記録の開始指示を受け付ける受付手段と、前記受付手段によって前記開始指示を受け付けたことに応じて、オートフォーカスを行うように制御するフォーカス制御手段と、前記第１の動画撮影モードに設定されている場合は、前記受付手段で開始指示を受け付けたことに応じて、前記オートフォーカスの結果、合焦したか否かに拘わらず前記第１の種別の動画の記録を開始するように制御し、前記第２の動画撮影モードに設定されている場合は、前記オートフォーカスの結果、合焦した場合に前記第２の種別の動画の記録を開始し、前記受付手段で開始指示を受け付けても、前記オートフォーカスの結果、合焦しない場合は前記第２の種別の動画の記録を開始しないように制御する制御手段と、を有することを特徴とする。
【発明の効果】
【０００９】
本発明によれば、ピンボケ状態となることがない第２の種別の動画（例えば、タイムラスプ動画）を得ることができる。
【図面の簡単な説明】
【００１０】
【図１】本発明の実施の形態による撮像装置の一例についてその構成を示すブロック図である。
【図２】図１に示すカメラの外観の一例を背面側から示す斜視図である。
【図３Ａ】図１に示すカメラで行われる撮影処理の一例を説明するためのフローチャートである（その１）。
【図３Ｂ】図１に示すカメラで行われる撮影処理の一例を説明するためのフローチャートである（その２）。
【図４】図１に示す表示部に表示される画面の一例を説明するための図である。
【図５】図４に示す静止画撮影処理を説明するためのフローチャートである。
【発明を実施するための形態】
【００１１】
以下に、本発明の実施の形態による撮像装置の一例について図面を参照して説明する。
【００１２】
図１は、本発明の実施の形態による撮像装置の一例についてその構成を示すブロック図である。なお、ここでは、撮像装置として静止画像および動画の撮影が可能なデジタルカメラ（以下単にカメラと呼ぶ）を例に挙げて説明する。
【００１３】
カメラ１００は撮影レンズユニット（以下単に撮影レンズと呼ぶ）１０４を備えており、撮影レンズ１０４には、少なくともズームレンズおよびフォーカスレンズが備えられている。
【００１４】
撮影レンズ１０４の後段には絞り機能を備えるシャッター（シャッター操作部材）１０５が配置されている。そして、シャッター１０５の後側には、光学像（被写体像）を電気信号（アナログ信号）に変換するＣＣＤ又はＣＭＯＳセンサなどの撮像素子を有する撮像部１０６が配置されている。撮像部１０６の出力であるアナログ信号はＡ／Ｄ変換器１０７によってデジタル信号（画像データ）に変換される。
【００１５】
なお、撮影レンズ１０４の前面側にはバリア１０３が配置されており、このバリア１０３は撮影レンズ１０４、シャッター１０５、および撮像部１０６などの撮像系を覆って、その汚れおよび破損を防止するためのものである。
【００１６】
画像処理部１０２は、Ａ／Ｄ変換器１０７の出力である画像データ、又はメモリ制御部１０８から画像データを受けて、所定の画素補間および縮小などのリサイズ処理と色変換処理とを行う。また、画像処理部１０２は撮像の結果得られた画像データを用いて所定の演算処理を行う。
【００１７】
システム制御部１０１は、画像処理部１０２による所定の演算処理によって得られた演算結果に基づいて露光制御および測距制御を行う。これにより、ＴＴＬ（スルー・ザ・レンズ）方式のＡＦ（オートフォーカス）処理、ＡＥ（自動露出）処理、およびＥＦ（フラッシュプリ発光）処理が行われる。
【００１８】
さらに、画像処理部１０２は撮像の結果得られた画像データを用いて所定の演算処理を行って、当該演算結果に基づいてＴＴＬ方式のＡＷＢ（オートホワイトバランス）処理を行う。
【００１９】
Ａ／Ｄ変換器１０７からの出力である画像データは、画像処理部１０２およびメモリ制御部１０８を介して、或いは直接メモリ制御部１０８を介して、メモリ１０９に書き込まれる。このメモリ１０９は、所定枚数の静止画像又は所定時間の動画像および音声を格納するための十分な記憶容量を備えている。
【００２０】
図示のメモリ１０９は画像表示用のメモリ（ビデオメモリ）を兼ねており、メモリ１０９に書き込まれた表示用の画像データは、メモリ制御部１０８によってＤ／Ａ変換器１１０を介して表示部１１１に与えられて、画像として表示される。
【００２１】
なお、表示部１１１は、例えば、ＬＣＤである。また、メモリ１０９に蓄積された画像データをＤ／Ａ変換器１１０においてＤ／Ａ変換して表示部１１１に逐次転送して表示すれば、表示部１１１は電子ビューファインダとして機能しスルー画像表示（ライブビュー表示）を行うことができる。
【００２２】
システム制御部１０１はカメラ１００全体の制御を司る。不揮発性メモリ１１４は、電気的に消去・記録可能なメモリであって、例えば、ＥＥＰＲＯＭが用いられる。不揮発性メモリ１１４にはシステム制御部１０１の動作用の定数、変数、およびプログラムなどが格納されている。このプログラムには、後述する各種フローチャートを実行するためのプログラムが含まれる。
【００２３】
システムメモリ１１２は、例えば、ＲＡＭであり、システム制御部１０１は不揮発性メモリ１１４から動作用の定数、変数、およびプログラムなどを読み出して、システムメモリ１１２に展開する。
【００２４】
なお、メモリ１０９に書き込まれた画像データは、システム制御部１０１においてファイル化されて、記録媒体インターフェース（Ｉ／Ｆ）１２３を介して記録媒体１２４に記録される。また、システム制御部１０１は、メモリ１０９、Ｄ／Ａ変換器１１０、および表示部１１１などを制御することによって表示制御を行う。
【００２５】
システム制御部１０１にはシステムタイマー１１３が接続されており、システムタイマー１１３はシステム制御部１０１による各種制御で用いる時間を計測してシステム制御部１０１に与える。
【００２６】
モード切換スイッチ１１８は、例えば、システム制御部１０１の動作モードを静止画記録モード、動画記録モード、および再生モードなどのいずれかに切り替える際に用いられる。さらに、モード切換スイッチ１１８は、これら動作モードの各々に含まれる詳細モードに切り替える際に用いられる。なお、後述するタイムラプス動画モードは動画記録モードにおける詳細モードに含まれる。
【００２７】
シャッターボタン１１５が操作途中（半押し：撮影準備指示）であると、第１のシャッタースイッチ（図示せず）がオンとなって、第１のシャッタースイッチ信号ＳＷ１がシステム制御部１０１に与えられる。これによって、システム制御部１０１はＡＦ（オートフォーカス）処理、ＡＥ（自動露出）処理、ＡＷＢ（オートホワイトバランス）処理、およびＥＦ（フラッシュプリ発光）処理などの撮影準備動作を開始する。
【００２８】
シャッターボタン１１５が操作完了（全押し）になると、第２のシャッタースイッチ（図示せず）がオンとなって、第２のシャッタースイッチ信号ＳＷ２がシステム制御部１０１に与えられる。これによって、システム制御部１０１は撮像部１０６の信号読み出しから記録媒体１２４に画像データを書き込むまでの一連の撮像処理の動作を開始する。
【００２９】
電源制御部１２１は電池検出回路、ＤＣ−ＤＣコンバータ、および通電するブロックを切り替えるスイッチ回路などを備えている。そして、電源制御部１２１は電池の装着の有無、電池の種類、および電池残量の検出を行う。また、電源制御部１２１は上記の検出結果およびシステム制御部１０１の指示に基づいてＤＣ−ＤＣコンバータを制御して、所定の電圧を必要な期間の間、記録媒体１２４を含むカメラ１００の各部に供給する。
【００３０】
電源制御部１２１には電源部１２２が接続されている。電源部１２２はアルカリ電池又はリチウム電池などの一次電池、又はＮｉＣｄ電池、ＮｉＭＨ電池、又はＬｉ電池などの二次電池を備えるとともに、ＡＣアダプターなどを有している。
【００３１】
記録媒体Ｉ／Ｆ１２３は、メモリカード又はハードディスクなどの記録媒体１２４とのインターフェースであり、記録媒体１２４には撮影の結果得られた画像データが記録される。この記録媒体１２４は、例えば、半導体メモリ又は磁気ディスクから構成される。
【００３２】
図示のように、システム制御部１０１には、音声制御部１２５が接続されている。システム制御部１０１は、必要に応じて音声制御部１２５によって警告などの音声を生成し、当該音声をスピーカー１２６から出力する。
【００３３】
図示のように、撮影レンズ１０４にはズーム操作部１２８が備えられ、当該ズーム操作部１２８はユーザーによって操作される。ズーム操作部１２８がユーザーによって操作されると、その操作量および操作方向に応じてズームレンズが光軸に沿って移動する。そして、当該操作量および操作方向はシステム制御部１０１に送られる。
【００３４】
また、システム制御部１０１はＡＦ制御の際には、レンズ駆動部１２９によってフォーカスレンズを光軸に沿って移動させ、被写体に合焦させる。
【００３５】
表示部１１１に表示される種々の機能アイコンを選択操作すると、場面（撮影シーン）毎に適宜機能が割り当てられて、操作部１２０は各種機能ボタンとして作用する。機能ボタンとして、例えば、終了ボタン、戻るボタン、画像送りボタン、ジャンプボタン、絞込みボタン、および属性変更ボタンがある。
【００３６】
図２は、図１に示すカメラの外観の一例を背面側から示す斜視図である。
【００３７】
図１および図２を参照して、操作部１２０においてメニューボタン２０１が操作されると、システム制御部１０１は各種設定を行うためのメニュー画面を表示部１１１に表示する。ユーザーは表示部１１１に表示されたメニュー画面を見て、上下左右の４方向キーを備える十字ボタン２０２およびＳＥＴボタン２０３を用いて直感的に各種設定を行うことができる。
【００３８】
なお、図２に示すコントローラホイール２０４および電子ダイヤル２０５は、操作部１２０に含まれる回転操作可能な操作部材であって、十字ボタン２０２とともに選択項目を指示する際に用いられる。また、操作部１２０に備えられた動画記録ボタン（ＲＥＣ）２０６はタイムラプス動画およびタイムラプス動画以外の通常動画の記録開始指示および停止指示を行う際に用いられる。
【００３９】
図２において、カメラ１００はその背面側に前述の表示部１１１が配置されている。カメラ１００の上面には電源オンおよび電源オフを切り替える電源ボタン１１９が配置されるとともに、シャッターボタン１１５およびモード切換スイッチ１１８が配置されている。また、表示部１１１の右側には、前述の操作部１２０が配置されている。
【００４０】
カメラ１００の下面側には、スロットが形成されており、当該スロットに電源部１２２である電池および記録媒体１２４が挿入される。スロットに電池又は記録媒体１２４を収納する際には、カメラ１００に設けられたカバー２０７を開いて、スロットに電池又は記録媒体１２４を収納する。
【００４１】
図３Ａおよび図３Ｂは、図１に示すカメラで行われる撮影処理の一例を説明するためのフローチャートである。なお、図示のフローチャートに係る処理は、不揮発性メモリ１１４に記録されたプログラムをシステムメモリ１１２に展開してシステム制御部１０１が実行することによって行われる。
【００４２】
また、図４は、動画撮影処理の際に図１に示す表示部に表示される画面の一例を説明するための図である。そして、図４（ａ）はタイムラプス動画モード撮影待機画面の一例を示す図であり、図４（ｂ）はメニュー（ＭＥＮＵ）撮影間隔・回数設定画面の一例を示す図である。図４（ｃ）はタイムラプス動画モード非合焦表示画面の一例示す図であり、図４（ｄ）は静止画モード合焦表示画面の一例を示す図である。図４（ｅ）は静止画モード非合焦表示画面の一例を示す図である。
【００４３】
撮影処理を開始すると、Ｓ３０１では、システム制御部１０１は、撮影モードがタイムラプス動画モード（第２の動画撮影モード）に設定されているか否かを判定する。設定された撮影モードは、例えば、不揮発性メモリ１１４に記録されており、システム制御部１０１は不揮発性メモリ１１４に記録された撮影モードに応じてタイムラスプ動画モードが設定されているか否かを判定する。
【００４４】
なお、タイムラスプ動画モードでは、所定の間隔をおいて複数回の撮影を行うインターバル撮影で得られた複数の画像を繋ぎ合わせて得られた動画データ（第２の種別の動画）を記録可能である。
【００４５】
タイムラプス動画モードに設定されている場合は、システム制御部１０１は、表示部１１１に図４（ａ）に示すタイムラプス動画モード撮影待機画面を表示して、Ｓ３０２に進む。そうでない場合は、システム制御部１０１は通常動画モード撮影待機画面を表示して、Ｓ３１８に進む。
【００４６】
なお、タイムラプス動画モード設定の際には、図５（ｂ）に示すＭＥＮＵ画面でタイムラプス動画撮影の際の撮影間隔および撮影回数が設定される。また、通常動画モード（第１の動画撮影モード）においては、得られた動画データを第１の種別の動画として記録可能である。
【００４７】
Ｓ３０２では、システム制御部１０１は、電源ボタンの操作又は電池消耗などによって電源がＯＦＦされたか否かを判定する。電源がＯＦＦされた場合は、システム制御部１０１は、撮影処理を終了する。そうではない場合はＳ３０３に進む。
【００４８】
Ｓ３０３では、システム制御部１０１はユーザー操作によって撮影モードが変更されたか否かを判定する。撮影モードが変更された場合はＳ３０１に戻る。そうではない場合はＳ３０４に進む。なお、撮影モードが変更されると、当該変更された撮影モードは不揮発性メモリ１１４に記録される。
【００４９】
Ｓ３０４では、システム制御部１０１はシャッターボタン１１５の操作によって第１のシャッタースイッチ信号ＳＷ１がＯＮとなったか否かを判定する。ＳＷ１がＯＮの場合はＳ３１７に進む。そうでない場合はＳ３０５に進む。
【００５０】
Ｓ３０５では、システム制御部１０１はＲＥＣボタン２０６が押されたか否かを判定する。ＲＥＣボタン２０６が押された場合はＳ３０６に進む。そうではない場合はＳ３０２に戻る。
【００５１】
Ｓ３０６では、システム制御部１０１は、ユーザー操作によって設定されたフォーカスモードがオートフォーカスモード（ＡＦモード）であるか否かを判定する。ＡＦモードである場合はＳ３０７に進む。そうでない場合は、つまり、マニュアルフォーカスモードの場合はＳ３１０に進む。
【００５２】
Ｓ３０７では、システム制御部１０１はレンズ駆動部１２９を駆動制御して、フォーカスレンズを光軸に沿って移動させてＡＦを実行する。Ｓ３０８では、システム制御部１０１はＡＦの結果（例えば、コントラストなどのＡＦ評価値）を取得する。そして、Ｓ３０９では、システム制御部１０１はＡＦの結果に基づいて被写体に合焦したか否かを判定する。合焦した場合はＳ３１０に進む。そうではない場合はＳ３１５に進む。
【００５３】
なお、合焦に至らないケースとして、例えば、前述のようにフォーカスレンズを駆動したが合焦しない場合がある。さらには、カメラに備えられたＡＦセンサ（図示せず）による位相差ＡＦ又は撮像面位相差ＡＦなどを行って、得られたデフォーカス量からフォーカスレンズの駆動に拘わらず、合焦不可である判定できる場合がある。
【００５４】
Ｓ３１０では、システム制御部１０１はタイムラプス動画を撮影する撮影開始処理を開始する（タイムラプス動画撮影開始処理）。そして、Ｓ３１１では、システム制御部１０１は所定の時間間隔において静止画を撮影して、当該撮影によってよって得られた静止画を繋ぎ合わせて動画データを作成する。
【００５５】
この際には、システム制御部１０１はＡＦ制御を行わず、静止画を撮影する際のピント位置（フォーカス位置）を同一の位置とする。つまり、システム制御部１０１は前回の撮影までと同一のピント位置で撮影を行う。これによって、タイムラプス動画（動画データ）を視聴した際に急なピント変化に起因するちらつきを防止することができる。つまり、１回の開始指示に応じて行われるインターバル撮影において、２回目以降の撮影の際には、システム制御部１０１はＡＦを行わず、１回目の撮影の際のフォーカス位置に固定した状態で撮影を行う。
【００５６】
なお、Ｓ３１１で得られた動画データはタイムラスプ動画と呼ばれ、当該タイムラスプ動画は再生に要する時間が撮影に要した時間よりも短い。
【００５７】
Ｓ３１２では、システム制御部１０１は、タイムラスプ動画モードにおいて設定された静止画の撮影回数が設定回数となったか否かを判定する。設定回数となった場合はＳ３１４に進む。そうでない場合はＳ３１３に進む。
【００５８】
Ｓ３１３では、システム制御部１０１はＲＥＣボタン２０６が押されたか否かを判定する。ＲＥＣボタン２０６がおされた場合はＳ３１４に進む。そうでない場合はＳ３１１に戻る。
【００５９】
Ｓ３１４では、システム制御部１０１はタイムラプス動画撮影処理を終了するための処理を行う。そして、システム制御部１０１はＳ３０２に戻る。
【００６０】
Ｓ３１５では、システム制御部１０１は、図４（ｃ）に示すタイムラプス動画モード非合焦を示す非合焦枠を表示部１１１に表示する。そして、Ｓ３１６では、システム制御部１０１は音声制御部１２５を制御して、スピーカー１２６から警報音を発する（非合焦発音）。その後、システム制御部１０１はＳ３０２に戻る。
【００６１】
Ｓ３１７では、システム制御部１０１は、後述する静止画撮影処理を行う。その後、システム制御部１０１はＳ３０２に戻る。
【００６２】
Ｓ３１８では、システム制御部１０１は、電源ボタンの操作又は電池消耗などによって電源がＯＦＦされたか否かを判定する。電源がＯＦＦされた場合は、システム制御部１０１は、撮影処理を終了する。そうではない場合はＳ３１９に進む。
【００６３】
Ｓ３１９では、システム制御部１０１はユーザー操作によって撮影モードが変更されたか否かを判定する。撮影モードが変更された場合はＳ３０１に戻る。そうではない場合はＳ３２０に進む。
【００６４】
Ｓ３２０では、システム制御部１０１はシャッターボタン１１５の操作によって第１のシャッタースイッチ信号ＳＷ１がＯＮとなったか否かを判定する。ＳＷ１がＯＮの場合はＳ３２６に進む。そうでない場合はＳ３２１に進む。
【００６５】
Ｓ３２１では、システム制御部１０１はＲＥＣボタン２０６が押されたか否かを判定する。ＲＥＣボタン２０６が押された場合はＳ３２２に進む。そうではない場合はＳ３１８に戻る。
【００６６】
Ｓ３２２では、システム制御部１０１は、通常の動画を撮影する撮影開始処理を開始する（動画撮影開始処理）。この際には、システム制御部１０１はＡＦ制御を行って動画撮影を開始する。なお、ＡＦ制御の結果、合焦に至らない場合であっても、システム制御部１０１は動画撮影を開始する。そして、動画撮影中において、システム制御部１０１は継続的にＡＦ制御を行う。よって、動画撮影の開始の際に合焦に至らない場合であっても、その後の被写体の変化などによって合焦するに至る場合もある。
【００６７】
Ｓ３２３では、システム制御部１０１は、動画撮影処理を行って、得られた動画データを記録媒体１２４に記録する。なお、Ｓ３２２およびＳ３２３によって得られた動画データ（第１の種別の動画）は、再生に要する時間が撮影に要した時間とほぼ一致する動画である。
【００６８】
Ｓ３２４では、システム制御部１０１はＲＥＣボタン２０６が押されたか否かを判定する。ＲＥＣボタン２０６が押された場合はＳ３２５に進む。そうでない場合はＳ３２３に戻って、動画撮影が継続される。
【００６９】
Ｓ３２５では、システム制御部１０１は動画撮影処理を終了するための処理を行う。そして、システム制御部１０１はＳ３１８に戻る。
【００７０】
Ｓ３２６では、システム制御部１０１は、後述する静止画撮影処理を行う。その後、システム制御部１０１はＳ３１８に戻る。
【００７１】
図５は、図４に示す静止画撮影処理を説明するためのフローチャートである。
【００７２】
静止画撮影処理を開始すると、Ｓ５０１において、システム制御部１０１はＡＦモードであるか否かを判定する。ＡＦモードである場合はＳ５０２に進む。そうではない場合は、つまり、マニュアルフォーカスモードである場合は、Ｓ５０６に進む。
【００７３】
Ｓ５０２では、システム制御部１０１はレンズ駆動部１２９を駆動制御して、フォーカスレンズを光軸に沿って移動させてＡＦを実行する。Ｓ５０３では、システム制御部１０１はＡＦの結果（例えば、コントラストなどのＡＦ評価値）を取得する。そして、Ｓ５０４では、システム制御部１０１はＡＦの結果に基づいて被写体に合焦したか否かを判定する。合焦した場合はＳ５０５に進む。そうではない場合はＳ５０９に進む。
【００７４】
Ｓ５０５では、システム制御部１０１は、図４（ｄ）に示すに静止画モード合焦画面を表示部１１１に表示する。そして、Ｓ５０６では、システム制御部１０１はＳＷ１がＯＦＦ（解除）されたか否かを判定する。解除された場合は、システム制御部１０１は静止画撮影処理を終了する。そうではない場合はＳ５０７に進む。
【００７５】
Ｓ５０７では、システム制御部１０１はシャッターボタン１１５の操作によって第２のシャッタースイッチ信号ＳＷ２がＯＮとなったか否かを判定する。ＳＷ２がＯＮの場合はＳ５０８に進む。そうでない場合はＳ５０６に戻る。
【００７６】
Ｓ５０８では、システム制御部１０１は撮像部１０６によって静止画を撮影する静止画撮影処理を実行して、得られた静止画を記録媒体１２４に記録する。そして、システム制御部１０１は静止画撮影処理を終了する。
【００７７】
Ｓ５０９では、システム制御部１０１は、図４（ｅ）に示す静止画モード非合焦画面を表示部１１１に表示する（非合焦警告）。その後、Ｓ５１０では、システム制御部１０１はＳＷ１がＯＦＦ（解除）となったか否かを判定する。ＳＷ１が解除された場合は、システム制御部１０１は静止画撮影処理を終了する。そうでない場合は、システム制御部１０１は待機する。
【００７８】
このように、本発明の実施の形態では、タイムラプス動画撮影を開始する際に、ＡＦ制御による合焦を行った後、ピント位置を固定して所定の時間間隔で複数枚の静止画を得る。そして、これら複数枚の静止画に基づいて動画データを生成するので、タイムラプス動画がピンボケ状態となることを防止することができる。
【００７９】
上述の説明から明らかなように、図１および図２に示す例では、操作部１２０およびシステム制御部１０１が設定手段として機能し、ＲＥＣボタン２０６およびシステム制御部１０１が受付手段として機能する。また、システム制御部１０１およびレンズ駆動部１２９はフォーカス制御手段として機能し、システム制御部１０１は制御手段として機能する。さらに、システム制御部１０１および表示部１１１は通知手段として機能し、操作部１２０およびシステム制御部１０１はフォーカスモード設定手段として機能する。
【００８０】
なお、システム制御部１０１による制御は１つのハードウェアが行ってもよいし、複数のハードウェアが処理を分担することで、装置全体の制御を行ってもよい。また、本発明をその好適な実施形態に基づいて詳述してきたが、本発明はこれら特定の実施形態に限られるものではなく、この発明の要旨を逸脱しない範囲の様々な形態も本発明に含まれる。
【００８１】
また、上述した実施形態においては、本発明をデジタルカメラに適用した場合を例にして説明したが、この例に限定されず、タイムラプス動画や、インターバル撮影（間隔を置いた撮影を自動的に行う機能）が可能な撮像装置であれば適用可能である。すなわち、本発明は、カメラ付きのパーソナルコンピュータやＰＤＡ、カメラ付きの携帯電話端末や携帯型の画像ビューワ、音楽プレーヤー、ゲーム機、電子ブックリーダー、タブレット端末、スマートフォン、家電装置や車載装置などに適用可能である。また、観察対象をインターバル撮影する機能を備えた顕微鏡、望遠鏡、医療機器などにも適用可能である。
【００８２】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８３】
１０１  システム制御部
１０２  画像処理部
１０４  撮影レンズ
１０５  シャッター
１０６  撮像部
１１１  表示部
１１５  シャッターボタン
１１８  モード切換スイッチ
１２０  操作部
２０６  ＲＥＣボタン
【図１】
2018023058.tif 000003
【図２】
2018023058.tif 000004
【図３Ａ】
2018023058.tif 000005
【図３Ｂ】
2018023058.tif 000006
【図４】
2018023058.tif 000007
【図５】
2018023058.tif 000008